(57)【要約】【課題】特別な駆動機構を用いることなく、シャッタ部材を駆動できる遊技媒体処理装置を提供する。【解決手段】遊技媒体処理装置は、カード挿入口を閉塞可能に駆動するシャッタ部材１２と、カードを収納可能にしたストック部２Ｂと、カード挿入口４からカード収納部までカードが移動する搬送路３と、カードの搬送を行うカード搬送機構と、カード搬送機構の駆動を制御する制御手段とを有する。シャッタ部材１２は、支軸１１によって揺動可能に支持され、一端側にカード挿入口を閉塞可能にする閉塞部１２ｃが、他端側に搬送路３から突没可能な突没部１２ｄを備えており、カードが突没部１２ｄと係合した際、シャッタ部材の揺動により閉塞部１２ｃがカード挿入口４を閉塞する。そして、前記制御手段は、所定の信号を受信したことを条件に、ストック部２Ｂに収納されているカードを突没部１２ｄと係合する位置に搬送するように、カード搬送機構を駆動制御する。【選択図】    図１２
2008212196.tif 000002
【特許請求の範囲】
【請求項１】
カードが挿入されるカード挿入口と、前記カード挿入口を閉塞可能に駆動するシャッタ機構と、前記カードを収納可能にしたカード収納部と、前記カード挿入口から前記カード収納部までカードが移動する搬送路と、前記カードの搬送を行うカード搬送機構と、
前記カード搬送機構の駆動を制御する制御手段と、を有し、
前記シャッタ機構は、支軸によって揺動可能に支持され、一端側に前記カード挿入口を閉塞可能にする閉塞部が、他端側に前記搬送路から突没可能な突没部が形成された揺動部材を備えており、前記カードが前記突没部と係合した際、前記揺動部材の揺動により閉塞部が前記カード挿入口を閉塞するよう構成された遊技媒体処理装置において、
前記制御手段は、所定の信号を受信したことを条件に、前記カード収納部に収納されているカードを前記突没部と係合する位置に搬送するように、前記カード搬送機構を駆動制御することを特徴とする遊技媒体処理装置。
【請求項２】
紙幣が挿入される紙幣挿入口と、紙幣挿入口に対する紙幣の挿入を検知する検知手段とを具備した紙幣処理ユニットを備え、
前記所定の信号は、前記検知手段からの紙幣の挿入検知信号であることを特徴とする請求項１に記載の遊技媒体処理装置。
【請求項３】
前記制御手段は、カードに対する情報の通信を制御可能であり、前記紙幣処理ユニットから挿入された紙幣が真性と判断されたことを条件に、前記カードをカードに対する情報の通信を制御可能な位置に搬送するように、前記カード搬送機構を駆動制御することを特徴とする請求項２に記載の遊技媒体処理装置。
【請求項４】
前記制御手段は、遊技媒体処理装置の動作を管理する上位装置の制御部と接続されており、前記所定の信号は、前記上位信号からのエラー信号であることを特徴とする請求項１から３のいずれか１項に記載の遊技媒体処理装置。
【発明の詳細な説明】
【技術分野】
【０００１】
本発明は、パチンコ機やスロットマシン等の各種遊技機で遊技する際に使用される遊技媒体を処理する遊技媒体処理装置に関する。
【背景技術】
【０００２】
通常、上記したような遊技機では、紙幣、プリペイドカード、ＩＣカード等カード状の記録媒体（以下、カードと称する）を利用して遊技が行えるようになっている。これらは、いわゆる遊技を行うに際して用いられる遊技媒体であり、遊技機に隣接する遊技媒体処理に投入することで、遊技を実行したり、或いは、さらに、メダルや玉等の二次的な遊技媒体の貸し出しを受けて、それらを用いて遊技を実行するようになっている。
【０００３】
このような遊技媒体処理装置として、例えば、特許文献１には、遊技機に隣接され、紙幣とカード状記録媒体を処理可能な構成が知られている。この特許文献１に開示されている遊技媒体処理装置は、紙幣挿入口と、この紙幣挿入口の近傍位置に形成されたカード挿入口を備えており、紙幣挿入口に紙幣を挿入して紙幣処理部で真性と判断されると遊技を実施でき、かつその紙幣を金庫（紙幣ストック部）に収容すべく搬送処理が行われる。また、カード挿入口にカードを挿入してカード処理部（リーダライタ）によって遊技媒体に関する情報を読み取りが行なわれると遊技を実施でき、かつ遊技終了時には、カード収容部へのカードの回収処理、或いは書き込みが実施され、返却処理が行われる。さらに、この特許文献１には、遊技者が、２つの遊技媒体である紙幣、又はカードの処理を実行する場合、一方の遊技媒体を処理している間は他方の遊技媒体の処理をシャッタ部材によって停止する技術が開示されている。
【０００４】
そして、このような遊技媒体処理装置に用いられるシャッタ部材として、例えば、特許文献２に開示されているものが知られている。この特許文献２に開示されているシャッタ部材は、カードの搬送面に対向して配置された支軸に揺動自在に取り付けられ、両端部にカード搬送面側に向けて折り曲げられた板状部材（揺動部材）として構成されている。すなわち、前記板状部材（揺動部材）は、支軸を中心にシーソ状に揺動可能となっており、挿入口から挿入されたカードが内部に向けて搬送されると、カードの先端が一端側の折り曲げ部分に係合することで一端側が持ち上げられて支軸を中心に揺動するようになる。これにより、板状部材の他端側（挿入口側）の折り曲げ部分が下がり、挿入口は折り曲げ部分によって閉塞され、追加のカードの挿入が阻止される状態となる。
【特許文献１】特開２００５−２９６２５５号
【特許文献２】特開２００４−１５２２４０号
【発明の開示】
【発明が解決しようとする課題】
【０００５】
しかしながら、上記した特許文献１、及び２に開示されているシャッタ部材は、例えば、紙幣処理中であったり、上位装置（遊技機など）の問題によりやエラー状態となった場合、カード挿入口を閉塞しようとすると、別途、シャッタ部材を駆動するための駆動機構が必要となってしまう。
【０００６】
本発明は、上記した問題に着目してなされたものであり、特別な駆動機構を用いることなく、シャッタ部材を駆動できる遊技媒体処理装置を提供することを目的とする。
【課題を解決するための手段】
【０００７】
上記した目的を達成するために、請求項１に記載された発明は、カードが挿入されるカード挿入口と、前記カード挿入口を閉塞可能に駆動するシャッタ機構と、前記カードを収納可能にしたカード収納部と、前記カード挿入口から前記カード収納部までカードが移動する搬送路と、前記カードの搬送を行うカード搬送機構と、前記カード搬送機構の駆動を制御する制御手段と、を有しており、前記シャッタ機構は、支軸によって揺動可能に支持され、一端側に前記カード挿入口を閉塞可能にする閉塞部が、他端側に前記搬送路から突没可能な突没部が形成された揺動部材を備えており、前記カードが前記突没部と係合した際、前記揺動部材の揺動により閉塞部が前記カード挿入口を閉塞するよう構成された遊技媒体処理装置において、前記制御手段は、所定の信号を受信したことを条件に、前記カード収納部に収納されているカードを前記突没部と係合する位置に搬送するように、前記カード搬送機構を駆動制御することを特徴とする。
【０００８】
上記した構成の遊技媒体処理装置によれば、カード挿入口にカードを挿入し、カード搬送機構の駆動制御によってカードが搬送されると、カード先端側が揺動部材の他端側（装置本体内部側）に形成された突没部に係合して揺動部材（シャッタ部材）を揺動させる。この揺動部材の揺動により、揺動部材の一端側（カード挿入口側）に形成された閉塞部が挿入口を閉塞するため、カードの追加挿入が防止される状態となる。また、制御手段が、所定の信号、例えば、他の処理を実施している処理信号、或いは、装置の駆動に支障を来たすエラー信号等を受信すると、カード収納部に収納されているカードを揺動部材の突没部に係合する位置に搬送する。これにより、揺動部材は、カード収納部に収納されているカードを搬送するだけで、カード挿入口を閉塞するため、シャッタ部材を駆動するための駆動機構（駆動モータ、カムなど）を用いる必要はない。
【０００９】
また、請求項２に係る発明においては、紙幣が挿入される紙幣挿入口と、紙幣挿入口に対する紙幣の挿入を検知する検知手段とを具備した紙幣処理ユニットを備え、前記所定の信号は、前記検知手段からの紙幣の挿入検知信号であることを特徴とする。
【００１０】
上記した構成では、紙幣処理ユニットに対して紙幣を投入すると、その紙幣の挿入検知信号の発生によって、上記したようにカード挿入口は閉塞された状態となって誤って追加のカードの挿入が阻止されるため、その紙幣挿入に伴って生じる通常のカードに対する情報の通信処理にエラー等が発生することが確実に防止される。
【００１１】
また、請求項３に係る発明においては、前記制御手段は、カードに対する情報の通信を制御可能であり、前記紙幣処理ユニットから挿入された紙幣が真性と判断されたことを条件に、前記カードをカードに対する情報の通信を制御可能な位置に搬送するように、前記カード搬送機構を駆動制御することを特徴とする。
【００１２】
上記した構成では、紙幣が挿入された段階でカードを突没部まで搬送し、その後、挿入された紙幣が真性であれば、そのカードをカードに対する情報の通信を制御可能な位置に搬送するようにしており、紙幣挿入時には、上記の制御可能な位置まで搬送しないため、例えば、紙幣の判定が真性でないと判定された後、カードをカード収納部に戻すまでの搬送距離、及び時間を短縮することが可能となる。
【００１３】
また、請求項４に係る発明においては、前記制御手段は、遊技媒体処理装置の動作を管理する上位装置の制御部と接続されており、前記所定の信号は、前記上位信号からのエラー信号であることを特徴とする。
【００１４】
上記した構成では、例えば、遊技媒体処理装置を、実際に遊技を行う遊技機に接続したり、或いは、その遊技場を管理するホストコンピュータ等の上位装置に接続する可能性がある。このようなケースにおいて、上位装置からエラー信号、例えば、遊技機が故障した等のトラブルが発生した場合、カード挿入口は閉塞されるため、カード挿入に伴う新たなトラブルの発生を確実に防止することが可能になる。
【発明の効果】
【００１５】
本発明によれば、特別な駆動機構を用いることなく、シャッタ部材を駆動できる遊技媒体処理装置が得られる。
【発明を実施するための最良の形態】
【００１６】
以下、図面を参照しながら、本発明に係る遊技媒体処理装置の一実施形態について説明する。なお、本実施形態における遊技媒体処理装置は、主に、パチンコホール等の遊技場に設置されたパチンコ機（遊技機）に隣接して設置されるもの（一般的には、サンド装置とも称される）として適した構成となっている。
【００１７】
図１は、遊技媒体処理装置の全体構成を示す図である。この図に示すように、本実施形態に係る遊技媒体処理装置１００は、カード処理ユニット１と、紙幣処理ユニット１１０と、テンキー操作ユニット１５０と、を備えた構成となっている。
【００１８】
前記カード処理ユニット１は、遊技媒体処理装置の前面に形成されるカード挿入口４を備えており、例えば、金額情報が記載されたカード（プリペイドカード、ＩＣカード等）を挿入することで、内部に設置されているリーダライタが駆動され、金額情報の読取り、書換えが行われると共に、金額情報が書き換えられたカードの返却、発行、或いは金額が０になった際のカードの回収が可能となっている。遊技者は、カードに記載された金額情報の範囲内で、パチンコ球やメダル等の二次的な遊技媒体の貸し出し処理を受け、遊技を行うことができる。
【００１９】
前記紙幣処理ユニット１１０は、遊技媒体処理装置の前面に形成される紙幣挿入口１１１を備えており、紙幣を挿入することで、内部に設置されているセンサによって真偽判断処理が成され、前記カードの場合と同様、挿入された金額の範囲内で、パチンコ球やメダル等の二次的な遊技媒体の貸し出し処理を受け、遊技を行うことができる。なお、遊技で全ての金額を使用しなかった場合、前記カード処理ユニット１において、予めカード処理ユニットのカード収納部（ストック部）に収納されているカードに対して金額情報を書き込んで、その発行が可能な構成となっている。
【００２０】
また、前記紙幣処理ユニット１００に対して紙幣を挿入すると、カード処理ユニット１のカード挿入口４には、シャッタ機構を構成するシャッタ部材によって、カードが挿入できないように構成されている（シャッタ機構の詳細な構成については後述する）。
【００２１】
前記テンキー操作ユニット１５０は、画像表示部（液晶ディスプレイによって構成される）１５１、テンキー１５２、赤外線受光素子１５３、及び、場合によっては、人体を認証するための撮像素子１５４等を備えている。なお、図面においては、赤外線受光素子１５３と撮像素子１５４は、画像表示部１５１の上方の同じ位置に設置されている。
【００２２】
前記画像表示部１５１には、例えば、遊技場の各種情報、二次元バーコード、金額情報等が表示される。前記テンキー１５２は、例えば、遊技者が所有するＩＣカードの暗証番号を入力したり、画像表示部１５１に表示される各種情報をスクロールさせたり、遊技で使用する金額情報等を入力する際に押下される。前記赤外線受光素子１５３は、例えば、遊技場の管理者が赤外線リモコンによって遊技媒体処理装置１００を開放する際のロック機構を作動させるのに用いられ、撮像素子１５４は、人体を識別するための情報、例えば、当該遊技媒体処理装置に隣接する遊技機で遊技者が遊技をしているかいないかの情報等を取得するのに用いられる。
【００２３】
上記したユニット以外にも、遊技媒体処理装置１００は、例えば、異常を報知するパイロットランプ１６０や、遊技者が所有する携帯端末の充電を可能にする充電ジャック１７０ａを備えた充電ユニット１７０を備えている。
【００２４】
次に、上記した遊技媒体処理装置１００に組み込まれているカード処理ユニット１の構成について説明する。
【００２５】
図２から図７は、上記した遊技媒体処理装置に組み込まれるカード処理ユニットの構成を示す図であり、図２は、全体構成を示す平面図、図３は、図２に示す状態からストック部を開放した状態を示す図、図４は、図３に示す状態から基板装着フレームを取り外した状態を示す図であり、カード搬送路の構成を示す図、図５は、図４に示すカード挿入口部分の拡大図、そして、図６は、カード処理ユニットを裏側から見た図である。
【００２６】
カード処理ユニット１は、略直方体状に形成されたフレーム２を備えており、このフレーム２が、上記した遊技媒体貸出装置の係止部に装着される。フレーム２は、装置本体を構成する本体フレーム２Ａと、本体フレーム２Ａのカード搬送下流側に設置され、複数枚のカードを積層して収納するストック部２Ｂと、カード搬送上流側に設置され、カード処理ユニットの構成部材（カードリーダライタ等）を制御する制御基板２００を装着した基板装着フレーム２Ｃを有している。なお、図２は、制御基板２００を露出させた状態を示しているが、実際には、図示されていないカバーにより、制御基板２００はカバーされた状態となる。
【００２７】
前記ストック部２Ｂは、図２及び図３に示すように、本体フレーム２Ａに対して、基部を回動中心として開閉されるように構成されており、基板装着フレーム２Ｃは、前記制御基板２００を装着する以外に、後述する搬送機構を構成するローラ２２，２３及び搬送ベルト２５に当接する複数のピンチローラ１０１，１０２等を回転可能に保持している。なお、ピンチローラ１０１の支軸とピンチローラ１０２の支軸との間には、ねじりバネ１１０が設置されており、ピンチローラ１０１及び１０２を、ローラ２２，２３及び搬送ベルト２５側に向けて付勢している。
【００２８】
前記本体フレーム２Ａは、略直方体形状を有しており、その中央には、長手方向に延出してカードが搬送される搬送路３が形成されている。この搬送路３には、図５に示すように、カードＰＣが搬送されるようになっており、前記ストック部２Ｂが本体フレーム２Ａに対して閉じられ、かつ基板装着フレーム２Ｃが本体フレーム２Ａに止着されることで、カードが搬送される隙間を形成して搬送路３が形成される。従って、この搬送路３は、通常は外部に露出しないようになっている。
【００２９】
そして、本体フレーム２Ａと基板装着フレーム２Ｃには、前記搬送路３に一致するようにして、夫々カード搬入部３Ａ，３Ｂが形成されている。これらカード搬入部３Ａ，３Ｂは、本体フレーム２Ａに対して、ストック部２Ｂが閉じられ、かつ基板装着フレーム２Ｃが装着された際、スリット状のカード挿入口４を形成する。図２に示すように、カードＰＣは、スリット状のカード挿入口４に対して矢印Ａ方向に沿って内部に挿入される。なお、カード搬入部３Ａ，３Ｂには、カード挿入口４から挿入されるカードの両サイドを規制する規制壁３Ｄが形成されており、カードは規制壁３Ｄによって位置決めされた状態で搬送路３に案内される。
【００３０】
前記ストック部２Ｂは、カード挿入口４から搬送路３に搬入されたカードをストックする機能を備えており、搬送路３を移動するカードは、ストック部の下側から順に上積みされるように収納される。なお、ストック部２Ｂの具体的な構成、及び動作については後述する。
【００３１】
ストック部２Ｂの先端側には、本体フレーム２Ａに係止可能なロックシャフト６が配設されている。このロックシャフト６は、付勢バネ等によって後方側に向けて付勢されており、カード挿入口４側（矢印Ｂ方向）に向けて引くことで、ストック部２Ｂと本体フレーム２Ａのロック状態（両者が閉じた状態）が解除され、ストック部２Ｂは開いた状態となる（図３参照）。
【００３２】
前記本体フレーム２Ａには、カードの追加投入を阻止するシャッタ機構、カードを搬送する搬送機構、搬送路３を移動するカードを前記ストック部２Ｂに収納させる収納駆動機構等が設置されている。
【００３３】
以下、本体フレーム２Ａに設置される各種駆動機構の構成、及び動作について詳細に説明する。
［シャッタ機構について］  
本体フレーム２Ａには、カードの処理中に、ユーザが誤ってカードの追加投入を防止するシャッタ機構１０が設置されている。このシャッタ機構１０の構成について、上記した図２から図６、及び図７から図１２を参照して説明する。なお、図７は、図６の主要部の拡大図、図８は、シャッタ機構を構成するシャッタ部材（第１揺動部材）の構成を示す斜視図、図９から図１２は、カードが挿入口から移動する際のシャッタ部材の動作を順に示す図である。
【００３４】
シャッタ機構１０は、本体フレーム２Ａに対して、支軸１１を介して揺動可能に支持されるシャッタ部材１２を有している。本実施形態のシャッタ部材１２は、搬送路３の一方のサイド壁側に揺動可能に支持されており、カード搬送方向に延出して、弾性変形可能となるように合成樹脂材で一体形成されている。なお、前記支軸１１は、中央よりやや後方側においてシャッタ部材１２と共に一体形成されている。
【００３５】
シャッタ部材１２は、本体フレーム２Ａの搬送路３の裏面側に突出された受部２ａに対し、前記支軸１１が設置され、その上から略Ｍ字形状のカバー１３が設置されることで、本体フレーム２Ａに対して揺動可能に支持される。すなわち、シャッタ部材１２は、簡単な操作によって、本体フレーム２Ａに対して着脱可能になっていると共に、上記した略Ｍ字形状のカバー１３により、揺動部材に対する負荷を軽減することが可能になる。
【００３６】
また、シャッタ部材１２には、一端側に前記カード挿入口４を閉塞可能にする閉塞部１２ｃが、他端側に前記搬送路３から突没可能な突没部１２ｄが一体的に形成されている。前記閉塞部１２ｃは、図４に示すように、本体フレーム２Ａのカード挿入口４の近傍（カード搬入部３Ａの領域）に形成された開口２ｂから突没可能となっており、前記突没部１２ｄは、前記ストック部２Ｂの前端側に形成された開口２ｃから突没可能となっている。
【００３７】
前記シャッタ部材１２は、閉塞部１２ｃが常時カード挿入口４を開口するように（閉塞部１２ｃが開口２ｂ内に没している状態）支持されており、この状態で、他端側の突没部１２ｄは搬送路３の表面から突出している。このような状態が得られるように、シャッタ部材１２は、支軸１１よりも前方側で、本体フレーム２Ａの裏面との間に押圧バネ１４を介在させており、閉塞部１２ｃを、常時開口２ｂ内に没する方向に付勢している。この押圧バネ１４は、シャッタ部材１２に穴を形成し、その穴内に保持された状態となる。
【００３８】
また、シャッタ部材１２の挿入口側は、カードの搬送方向に沿って湾曲可能となっており、搬送路３を移動するカードの先端側が突没部１２ｄを押圧した際、シャッタ部材１２が湾曲した状態で閉塞部１２ｃがカードの後端側の表面に当接するようになっている。すなわち、シャッタ部材１２が湾曲することにより、閉塞部１２ｃが移動するカードに当接しても、カードに大きな負荷を加えることがなくなって、カードを傷付けたり、カード搬送時に抵抗となることが防止される。
【００３９】
この場合、閉塞部１２ｃが移動するカードに当接した際、シャッタ部材１２がより湾曲し易いように、シャッタ部材１２には切欠凹所１２ｅが形成されている。この切欠凹所１２ｅは、支持部１１よりも前側で本体フレーム２Ａ側の表面に、軸方向に対して直交する方向で所定の深さで形成されており、閉塞部１２ｃ側が下方へ湾曲し易いようにしている。すなわち、切欠凹所１２ｅを支点として閉塞部１２ｃを含む前方側は、閉塞部１２ｃの頂部がカードの表面に当接した際、開口２ｂに没する方向に容易に湾曲できるようになっている。なお、シャッタ部材１２を湾曲させるための手段として、上記した切欠凹所１２ｅを形成する以外にも、例えば、シャッタ部材１２の前方側を、たわみ易い素材で形成する等しても良い。
【００４０】
これにより、シャッタ部材１２は、両端に形成されている閉塞部１２ｃ及び突没部１２ｄを同時にカード表面に当接させることが可能となり、図９から図１２に示すように、カードの搬送方向長さよりも短く形成することが可能となる。
【００４１】
もちろん、シャッタ部材１２は、それ自身がたわむ構成ではなく、単に揺動可能に支持されてカード挿入口４を閉塞する構成であっても良い。
【００４２】
また、前記閉塞部１２ｃは、図８に示すように、側面視で略直角三角形状に形成されており、搬送路３に対して略直角に立ち上がるカード挿入阻止面１２ｃ´と、挿入口４側に向けて上昇する傾斜面１２ｃ´´とを有している。すなわち、このような形状により、カード挿入口４の閉塞時には、確実にカードの追加投入を阻止し、かつカードを内部側から排出する際には、スムーズなカードの移動を実現し、閉塞部１２ｃによって妨げられないようになっている。
【００４３】
なお、カード挿入阻止面１２ｃ´は、図８の拡大図に示すように、カードＰＣが当て付いた際、シャッタ部材１２が上方に移動できるよう、所定角度（θ＝５°程度）傾斜させておくことが好ましい。このような傾斜を形成しておくことで、カードＰＣが当て付いた際、シャッタ部材１２が閉塞方向となる上方（矢印方向）にシフトするため、カードの追加投入を確実に防止することが可能となる。
【００４４】
また、前記突没部１２ｄには、図８に示すように、側面視で略三角形状に形成された傾斜面１２ｄ´が形成されている。すなわち、このような形状により、いずれの方向にカードが移動しても、スムーズな移動を実現し、突没部１２ｄにカードが引っ掛からないようになっている。
【００４５】
さらに、本実施形態では、図９から図１２に示すように、本体フレーム２Ａの搬送路３の裏面側に、前記閉塞部１２ｃの基部１２ｆが当て付く当接部２ｆが形成されている。この当接部２ｆは、閉塞部１２ｃが搬送路３に突出した際、閉塞部１２ｃに対して内部側から当接可能となるように設けられており、これにより、閉塞時における閉塞部１２ｃの強度を向上させている。
【００４６】
次に、上記したシャッタ機構１０を構成するシャッタ部材１２の動作について、図９から図１２を参照して説明する。
【００４７】
最初、初期状態では、上述したシャッタ機構１０のシャッタ部材１２は、支軸１１を中心として、閉塞部１２ｃが搬送路３から没した状態となっている。この状態は、支軸１１の支持位置、及び押圧バネ１４の付勢力によって維持されている。この状態で、カード挿入口４からカードＰＣを挿入すると、図５に示した搬送路３に設置されるカード検知センサ（第１センサ）１５Ａがこれを検知し、後述する搬送機構を構成する駆動モータが回転駆動され、カードＰＣは搬送ベルト２５によって内部に搬送される。
【００４８】
そして、前記第１センサ１５Ａによって、搬入されるカードＰＣの後端の通過が検知された段階で、搬送機構は駆動停止され、カードＰＣは一旦停止される。図５は、カードＰＣが停止された状態を示しており、この位置（情報処理位置）において、図示されていないリーダライタが駆動され、カードＰＣに対して情報の読取り処理／書換え処理が実行される。
【００４９】
図１０に示すように、カードＰＣが第１センサ１５Ａを通過し、搬送機構によって前記情報処理位置に搬送される際、カードＰＣの先端は、搬送路３の開口２ｃから突出しているシャッタ部材１２の突没部１２ｄに係合する。上記したように突没部１２ｄには、図８に示したように傾斜面１２ｄ´が形成されているため、カードＰＣは、突没部１２ｄを下方にシフトさせながら更に内部に搬送される。
【００５０】
この際、シャッタ部材１２は、突没部１２ｄの押下げによって、図１０に示すように、閉塞部１２ｃが上昇し、搬送中のカードＰＣに当接するが、上記したようにシャッタ部材１２は、カードＰＣの搬送方向に沿って湾曲可能となっており、シャッタ部材１２が湾曲した状態で閉塞部１２ｃがカードの後端側の表面に当接する。上記したように、シャッタ部材１２は、切欠凹所１２ｅによって閉塞部１２ｃ側が下方へ湾曲し易いようになっており、かつ押圧バネ１４の付勢力によって下側に付勢されているため、閉塞部１２ｃが、移動するカードＰＣに当接しても、カードに大きな負荷を加えることはなく、カードＰＣを傷付けたり、カード搬送時に大きな抵抗となることはない。
【００５１】
そして、カードＰＣが更に内部に搬入され、上記したようにカードの後端が第１センサ１５Ａを通過して情報処理位置に搬送されると、湾曲した状態にあった閉塞部１２ｃは、図１１に示すように、シャッタ部材１２の突没部１２ｄの押し下げによって上昇し、カード挿入口４を閉塞する。すなわち、カードＰＣが情報処理位置まで搬入されると、上記したシャッタ機構を構成するシャッタ部材１２によって、追加のカードを投入することが阻止された状態となる。
【００５２】
図１１に示すシャッタ閉塞状態において、上述したように、閉塞部１２ｃの基部１２ｆは、本体フレーム２の搬送路３の裏面側に設けられた当接部２ｆに当接しているため、シャッタ閉塞時における閉塞部１２ｃの強度が向上している。すなわち、矢印Ａ方向から追加のカードを投入しようとしても、閉塞部１２ｃは当接部２ｆに当接して補強された状態にあるため、閉塞強度が向上し、追加のカードの投入を確実に阻止することができる。
【００５３】
そして、カードＰＣが、後述するストック部２Ｂに回収される場合、更に奥側に向けて搬送され、図１２に示すストック位置に搬送される。このとき、カードＰＣの後端は、突没部１２ｄから外れ、これにより、突没部１２ｄは上昇し、反対側の閉塞部１２ｃは搬送路３から没した状態となって、カード挿入口４を常時、開口する状態となる。もちろん、カードＰＣが、搬送機構によってユーザにそのまま返却された後においても、シャッタ機構１０のシャッタ部材１２は、図１２に示した状態となり、新たなカードが挿入できるように、カード挿入口４は開口した状態に維持される。
【００５４】
なお、本体フレーム２Ａの搬送路３には、前記第１センサ１５Ａの下流側に第２センサ１５Ｂが設置されており、カードの状況（搬送状態や方向）を検知するようにしている。また、本体フレーム２Ａの裏面には、前記シャッタ部材１２の動作を検出する第３センサ１５Ｃが設置されており、リードライト動作の終了、及び後述するストック部２Ｂに対するカードＰＣの移送完了を検知するようにしている。この場合、第１センサ１５Ａ及び第２センサ１５Ｂは、公知のように、カードの通過を検知する発光部と受光部を備えた構成となっており、第３センサ１５Ｃは、前記シャッタ部材１２の突没部１２ｄの近傍に設置され、突没部１２ｄが上下動した際の動作を検知する発光部と受光部を備えた構成となっている。
【００５５】
上記したシャッタ機構１０によれば、カード挿入口４にカードＰＣを挿入し、それが搬送機構によって搬送されると、カード先端側が突没部１２ｄに係合してシャッタ部材１２を揺動させる。このシャッタ部材１２の揺動により、挿入口側に形成されている閉塞部１２ｃがカード挿入口４を閉塞するため、カードＰＣの処理動作中に、新たなカードの追加挿入が防止される状態となる。また、搬送されるカードの後端がカード挿入口４を通過する前に、前記閉塞部１２ｃが挿入口４を閉塞する方向に移動して、搬送されるカードＰＣの表面に当接しても、上記したように、シャッタ部材１２が湾曲できるように構成されていることから、閉塞部１２ｃが当接する際の当接力が緩和され、カード表面に傷を付けることが無くなる。特に、シャッタ部材１２に、切欠凹部１２ｅを形成したことにより、揺動部材をより湾曲させ易くすることが可能となり、閉塞部１２ｃのカードに対する当接力を、より確実に緩和することができ、カードの表面の傷付きを確実に防止することが可能になる。
【００５６】
なお、図５に示すように、搬送路３の表面には、閉塞部１２ｃのサイドで前方側に、壁状のリブ８０が突出形成されている。このようなリブを形成しておくことで、搬送路３の隙間に対してカードの厚さが薄くても、カードの重複投入を確実に防止することが可能となる。
［搬送機構について］  
本体フレーム２Ａには、挿入口４に挿入されたカードを装置内部に向けて搬送する搬送機構２０が設置されている。この搬送機構の構成について、上記した図２から図６を参照して説明する。
【００５７】
本実施形態の搬送機構２０は、カード挿入口４から挿入されたカードを挿入方向Ａに沿って搬送可能であると共に、装置本体の内部に位置するカードをカード挿入口４側に向けて搬送可能に構成されている。搬送機構２０は、本体フレーム２Ａに設置された駆動源である駆動モータ２１(図６参照)と、この駆動モータ２１によって回転駆動され、搬送路３の表面に露出して搬送方向に沿って延出する搬送ベルト２５を備えている。
【００５８】
前記搬送ベルト２５は、前記駆動モータ２１によって回転駆動される駆動軸２２ａに設置される回転ローラ２２と、搬送路３に沿って所定間隔をおいて設置されるローラ２３に巻回されており、その表面が搬送路３上に露出し、カードを載置した状態で搬送する機能を有する。なお、前記ローラ２３は、図４に示すように、本体フレーム２の搬送路３の略中央領域において、固定部材２４に回転可能に保持された状態で、搬送方向に沿って所定間隔おいて４箇所設置されている。
【００５９】
前記回転ローラ２２は、図６に示すように、カード搬送方向に対して直交する方向で本体フレーム２Ａに回転可能に支持される駆動軸２２ａの中央部に設けられており、駆動軸２２ａは、その端部に固定されたギヤ２２ｂが、駆動モータ２１の出力軸に固定された出力ギヤ２１ａと噛合することで回転駆動される。
【００６０】
そして、図３に示したように、回転ローラ２２の位置、及び挿入口側に設置されるローラ２３の位置には、基板装着フレーム２Ｃに設置されるピンチローラ１０１，１０２が対向して配置されており、カード挿入口４に挿入されたカードは、ピンチローラ１０１，１０２と搬送ベルト２５との間のニップ部を介して搬送されて行く。また、下流側の３つのローラ２３の位置には、図３に示すように、ストック部２Ｂが閉じられた際、カードＰＣを載置する押圧プレート（押圧プレートに載置されたカード）が対向するようになっている。
［ストック部及び収納駆動機構等について］  
本体フレーム２Ａには、使用済みのカードを回収し、かつ、必要に応じて発行するカードを収納するストック部２Ｂ、及びストック部２Ｂにカードを収納するように作動する収納駆動機構４０が設置されている。これらのストック部２Ｂ、及び収納駆動機構４０の構成について、上記した図２から図７、及び図１３から図２２を参照して説明する。なお、図１３は、ストック部を挿入口側から見た図、図１４は、ストック部にカードを収納した状態を示す図、図１５（ａ）は、収納駆動機構を構成する揺動部材（第２揺動部材）の構成を示す平面図、図１５（ｂ）は、その側面図、図１６から図２２は、カードの搬送に伴う第２揺動部材、及びストック部の作用を順に示す図である。
【００６１】
上記したように、ストック部２Ｂは、本体フレーム２Ａに対して、搬送方向奥側に設置される基部に対して回動可能に配設されており、通常は、図２に示すように閉じられた状態にある。
【００６２】
ストック部２Ｂは、カードＰＣが、所定枚数（本実施形態では１０枚程度）収納できるように箱型に形成された本体３０を備えている。本体３０の挿入口側の壁部（前壁）３０ａは、挿入口側からみて図１３及び図１４に示すように、略凸形状に形成されており、本体３０がフレーム本体２Ａに対して閉じられると、搬送路３の表面３ｃとの間に、カード１枚が通過できるギャップＧが形成されるようになっている。前壁３０ａに形成される突部３０ｂは、ストック部２Ｂ（本体３０）からカードを発行する際、搬送路３の面側のカード（最上のカード）のみを排出でき、２枚目以降のカードを当て付けて発行できないようにしている。
【００６３】
なお、本体３０内に積層収納されるカードは、最上のカードが、上記した搬送機構の搬送ベルト２５に面接触した状態となっている。
【００６４】
前記本体３０の内部には、本体３０の開口３０ｂと略同一のディメンションの押圧プレート３５（図１６から図２２において模式的に示す）が配設されており、この押圧プレート３５は、本体３０の両側壁３０ｃに設置された付勢バネ３１によって、常時、搬送路側に付勢された状態となっている。この場合、押圧プレート３５を押圧する付勢バネ３１の押圧プレートに対する取付位置Ｐ１は、本体３０の両側壁３０ｃの長手方向（カード搬送方向）の中央位置に設定されている。このように、押圧プレート３５を押圧する付勢バネ３１を、両側壁３０ｃの中央位置に設置したことにより、安定して押圧プレート３５を押圧することができ、かつ本体３０の内部に押圧スプリングを設置する構成と比較して、カードの収納枚数を増やすことが可能となる。
【００６５】
また、本体３０の両側壁３０ｃには、カードＰＣを落下しないように保持する爪３２が長手方向に所定の間隔をおいて２個づつ設けられている。爪３２は、両壁部３０ｃの表面側に取着される矩形の金具３２ａの先端側をＬ字状に折り曲げることで形成されている。
【００６６】
上記した本体フレーム２Ａには、挿入口から挿入されたカードが使用済みとなった際、搬送ベルト２５によるカードの搬送動作と協働して、そのカードをストック部の本体３０内に収納させる収納駆動機構４０が設置されている。この収納駆動機構は、電気的な部品を設置することなく、カード収納時に押圧プレート３５を押し上げ操作する機能を有している。以下、収納駆動機構４０の構成について説明する。
【００６７】
収納駆動機構４０は、本体フレーム２Ａに対して、支軸４１を介して揺動可能に支持される揺動部材４２を有している（以下、上述したシャッタ機構のシャッタ部材１２と区別するため、第２揺動部材４２と称する）。本実施形態の第２揺動部材４２は、図４に示すように、カード搬送方向に延出しており、上記したシャッタ部材１２よりも搬送路３の内側（中心線側）で、搬送路３の裏面側に揺動可能に支持されている。第２揺動部材４２は一体形成されており、前記支軸４１は、中央よりやや後方側に設けられている。
【００６８】
第２揺動部材４２は、図６に示すように、本体フレーム２Ａの搬送路３の裏面側に突出された支持部に対して支軸４１が設置され、かつその上からカバー４３が設置されることで、本体フレーム２Ａに対して揺動可能に支持される。すなわち、第２揺動部材４２ついてもシャッタ部材１２と同様、簡単な操作によって、本体フレーム２Ａに対して着脱可能となっている。
【００６９】
この第２揺動部材４２には、挿入口４側において前記搬送路３の表面から突没可能となる第１突没部４２ａが、ストック部２Ｂ側において前記搬送路３の表面から突没可能となる第２突没部４２ｂが夫々一体形成されている。前記第１突没部４２ａは、図４に示すように、本体フレーム２Ａのカード挿入口４の近傍、具体的には、カード挿入口４と搬送機構２０との間に形成された開口２ｇから突没可能となっており、前記第２突没部４２ｂは、前記ストック部２Ｂの中心位置に形成された開口２ｈから突没可能となっている。
【００７０】
この場合、第２揺動部材４２及び開口２ｈは、第２突没部４２ｂが、本体３０に収納されているカードＰＣのセンター位置Ｐ２よりもやや上流側位置に当接できるように構成されている（図１４において、当接位置を仮想斜線で示してある）。このため、第２突没部４２ｂは、図１５に示すように、第１突没部４２ａと比較して、幅方向に広がった形状となっている。なお、図１５に示すように、第２揺動部材４２は、設置スペースや搬送ベルトの配設位置の関係上、中央領域で屈曲形成されているが、第２突没部４２ｂが、前記本体３０に収納されているカードＰＣのセンター位置Ｐ２よりもやや上流側位置に当接できれば、その形状については適宜変形可能である。
【００７１】
前記第１突没部４２ａには、カード搬送方向に向けて次第に上昇する傾斜面が形成されており、カードの移動がスムーズになるよう構成されている。本実施形態では、カードＰＣがカード挿入口４から内部に挿入され、かつ内部から挿入口４を介して排出（発行）される構成のため、第１突没部４２ａの両面側に、次第に搬送方向に向けて上昇する傾斜面４２ｃ，４２ｃ´が形成されている。なお、上記した傾斜面４２ｃ，４２ｃ´に代えて回転ローラを支持する構成であっても良い。このような回転可能なローラ５２を設置することで、カードの搬送がよりスムーズになると共に、カードに対する接触抵抗が軽減され、カードに対する傷付きを効果的に防止することが可能になる。
【００７２】
また、前記第２突没部４２ｂにも、カード挿入口４側から搬入されるカードがスムーズに移動できるように、カード搬送方向に向けて次第に上昇する傾斜面４２ｄが形成されている。傾斜面４２ｄは、挿入口側の面に形成されており、傾斜面の頂部４２ｅは、第２揺動部材４２の揺動動作に伴って、本体３０の押圧プレート３５（押圧プレートにカードＰＣが積層収納されている場合、最上のカード）に当て付き、図１７に示すように、押圧プレート３５を、挿入口側が上昇して隙間ができるように傾かせる。
【００７３】
なお、第２揺動部材４２は、通常、第１突没部４２ａが搬送路３の表面から突出しており、かつ第２突没部４２ｂが、押圧プレート（又はそれに積層されるカード）に当て付いた状態で支持されている。
【００７４】
また、本体フレーム２Ａには、前記本体３０の押圧プレート３５の状態を検知して、本体３０内に、カードが収納されているか否かを検知する第４センサ（図示せず）が設置されている。
【００７５】
次に、カードの搬送に伴って、上記した第２揺動部材４２及びストック部２Ｂの作用について、図１６から図２２を参照して説明する。
【００７６】
最初、初期状態では、収納駆動機構４０の第２揺動部材４２は、支軸４１を中心として夫々の突没部４２ａ，４２ｂは、搬送路３から突出した状態となっている。第２突没部４２ｂは、ストック部２Ｂの最上のカードに当接した状態となっている。
【００７７】
この状態で、カード挿入口４からカードＰＣを挿入すると、図５に示した搬送路３に設置されるカード検知センサ（第１センサ）１５Ａがこれを検知し、搬送機構を構成する駆動モータが回転駆動され、図１７に示すように、カードＰＣは搬送ベルト２５によって内部に搬送される。このとき、カードＰＣは、傾斜面４２ｃを介して第１突没部４２ａを押下げることから、第２揺動部材４２は支点４１を中心として反時計周り方向に回動され、積層収納された最上のカードに当接する第２突没部４２ｂは、押圧プレート３５を、付勢バネ３１の付勢力に抗して押し上げる。図１４に示したように、第２突没部４２ｂは、カードＰＣのセンター位置Ｐ２よりもやや上流側位置に当接しているため、押圧プレート３５は、図１７に示すように、上流側が上昇するように傾く。このため、搬送ベルト２５によって搬送されるカードＰＣは、図１３に示したギャップＧを介して、ストック部２Ｂの本体３０内にスムーズに入り込んで行く。
【００７８】
そして、前記第１センサ１５Ａによって、搬入されるカードＰＣの後端の通過が検知された段階で、搬送ベルト２５は駆動停止され、カードＰＣは一旦停止される（図５、図１８参照）。上述したように、この位置（情報処理位置）において、図示されていないリーダライタが駆動され、カードＰＣに対して情報の読取り／書換えが実行される。このとき、カードＰＣの先端は、第２突没部４２ｂの直前に位置している。
【００７９】
カードＰＣに対する情報の読取り／書換え処理の後、カードＰＣは、クレジットが残っていない場合、そのままストック部２Ｂに収納され、クレジットが残っている場合、ユーザに返却される。
【００８０】
具体的には、図１８に示す状態で、リーダライタによってクレジットが残っていないと判別されると、搬送ベルト２５は、引き続きカードＰＣをストック部２Ｂの本体３０に搬送すべく回転駆動される。その後、搬送ベルト２５は、図１９に示す位置に搬送された段階で駆動停止され、カードＰＣは、本体３０内において、押圧プレート３５上に積層収納される。一方、クレジットが残っている場合、前記搬送ベルト２５は逆転駆動され、カードＰＣをユーザに返却する。
【００８１】
図２３は、上記したカード処理ユニット１を組み込んだ遊技媒体処理装置全体１００を制御する制御ブロック図を示す。
【００８２】
遊技媒体処理装置１００内には、装置全体の動作を制御するメインＣＰＵユニット３００が設置されている。メインＣＰＵユニット３００は、装置全体を制御する制御プログラムを格納したＲＯＭや、記憶手段を構成するＲＡＭを備えた制御基板として構成されており、遊技媒体処理装置１００に組み込まれる上記したカード処理ユニット１、紙幣処理ユニット１１０、テンキー操作ユニット１５０、パイロットランプ１６０、充電ユニット１７０等の各種構成要素を駆動すると共に制御する。
【００８３】
また、メインＣＰＵユニット３００は、カード処理ユニット１や紙幣処理ユニット１１０からの金額情報が入力された際、遊技者に対して、遊技媒体である球やメダルを貸し出すための信号を貸出ユニット３１０に送信する。
【００８４】
また、メインＣＰＵユニット３００には、通信方式の変換制御（シリアル／パラレル変換制御）や、データの送受信先の振り分け制御を行う機能を有する通信管理制御部３２０が接続されており、通信用端子３２５を介して、外部装置（例えば、隣接する遊技機や、遊技場を管理する管理サーバ等）３５０との間でデータの送受信が可能となっている。
【００８５】
前記カード処理ユニット１は、上述したカードに対して情報の書き換え等を行うリーダライタ、カードを搬送する搬送機構２０を駆動する駆動モータ、カードの位置を検知するセンサ等の構成要素を含み、これらの構成要素は、上述した制御基板２００に実装されるＣＰＵ、及び上記したメインＣＰＵユニット３００によって駆動が制御される（制御基板２００、及びメインＣＰＵユニット３００は、シャッタ部材１２を揺動させる搬送機構２０の駆動を制御する制御手段を構成する）。また、紙幣処理ユニット１１０は、紙幣の挿入を検知する紙幣挿入検知センサ、真贋判定処理を行う判定センサ、紙幣を搬送する駆動モータ等の構成要素を含み、これらは、紙幣処理ユニットの内部に設置された制御基板に実装されるＣＰＵ、及び上記したメインＣＰＵユニット３００によって駆動が制御される。
【００８６】
次に、上記した制御手段２００，３００によって、カード処理ユニット１におけるカード挿入口４を閉塞処理する制御について、図２４のフローチャートに従って説明する。なお、図２４に示すフローチャートは、紙幣処理ユニット１１０の紙幣挿入口１１１に紙幣を挿入した際に、遊技者が誤ってカード挿入口４にカードを挿入させないために実行される処理である。
【００８７】
最初、カード処理ユニット１は、図１２に示すように、シャッタ部材１２の閉塞部１２ｃが搬送路３から没して、カード挿入口４は、カードが挿入できるように、常時、開口した状態となっている。この状態で、メインＣＰＵユニット３００は、紙幣処理ユニット１１０の紙幣挿入検知センサから、紙幣挿入信号が送信されるのを待機している（ステップＳ１）。
【００８８】
紙幣の挿入が検知されると（ステップＳ１；Ｙｅｓ）、カード処理ユニット１に対して駆動モータ２１を微量回転する信号を送信し、駆動モータ２１（図６参照）を所定量回転駆動する（ステップＳ２）。これにより、搬送機構２０を構成する搬送ベルト２５が所定量回転駆動されて、ストック部２Ｂに収納されているカードをカード挿入口４側に向けて搬送する。この場合、駆動モータ２１の回転駆動量は、ストック部２Ｂに収納されている最上のカードが、図２５に示すように、ストック部２Ｂの直前に位置する突没部１２ｄに係合して、シャッタ部材１２を回動させる程度とされており、これにより、シャッタ部材１２の閉塞部１２ｃは、カード挿入口４を閉塞する状態となる。
【００８９】
次に、紙幣処理ユニット１１０において、紙幣の真贋判定処理が実施され、紙幣処理ユニット１１０から紙幣が真正であるという信号を受信すると（ステップＳ３；Ｙｅｓ）、さらに、駆動モータ２１を所定量回転駆動する（ステップＳ４）。この場合、駆動モータ２１の回転駆動量は、カードが、リーダライタの処理位置（リードライト位置）に位置付けされる状態となるように設定される。
【００９０】
一方、紙幣処理ユニットから紙幣が真正でなかったという信号を受信すると（ステップＳ３；Ｎｏ）、駆動モータ２１を逆転駆動し、図２５に示した状態にあるカードを、ストック部２Ｂに収納させる（ステップＳ５）。これにより、シャッタ部材１２は、図１２に示す状態に回動し、カード挿入口４は開放した状態、すなわち、カードを挿入することが可能な状態となる。
【００９１】
上記ステップＳ４において、カードがリードライト位置に位置付けられると、カードに対するリードライト処理が実行される（ステップＳ６）。これは、例えば、遊技者が、テンキー操作によって、投入した紙幣（遊技価値）を遊技で使用する毎に実行される（ステップＳ７；Ｎｏ→ステップＳ６）。そして、遊技者が遊技機の清算ボタンを押下して遊技を終了すると（ステップＳ７；Ｙｅｓ）と、最初に投入した紙幣の残高がある場合、そのままカードの排出処理を実行する（ステップＳ８；Ｙｅｓ、ステップＳ９）。このカードの排出処理は、駆動モータ２１を、所定量回転駆動し、カードをカード挿入口４から排出して保持される位置に設定される。
【００９２】
一方、最初に投入した紙幣の残高がなければ、リードライト位置に搬送されたカードをストック部２Ｂに収納すべく、カードのストック部への収納処理を実行する（ステップＳ８；Ｎｏ→ステップＳ５）。このカードの排出処理は、駆動モータ２１を、所定量回転駆動し、カードをカード挿入口４から排出して保持される位置に設定される。この場合、駆動モータ２１の回転駆動量は、リードライト位置に位置付けされたカードがストック部２Ｂに収納される状態となるように設定される。
【００９３】
以上のような制御態様によれば、遊技者が紙幣処理ユニット１１０の紙幣挿入口１１１に紙幣を挿入すると、カード処理ユニット１のカード挿入口４はシャッタ部材１２によって閉塞されるため、遊技者が誤ってカードを挿入すること確実に防止することができる。このため、紙幣挿入に伴って生じる通常のカードの書込み処理にエラー等が発生することが確実に防止することができる。また、シャッタ部材１２は、通常のカードの搬送機構の駆動モータ２１によって駆動されるため、シャッタ部材１２を閉塞するための駆動機構（駆動モータなど）を別途、設置する必要がなくなって構造が簡略化される。
【００９４】
また、上記した構成では、紙幣が挿入された段階でカードを突没部１２ｄまで搬送し、その後、挿入された紙幣が真正であれば、そのカードをリードライト位置に搬送するようにしており、紙幣を挿入した後、真贋判定が終了するまでは、リードライト位置まで搬送しないため、例えば、紙幣の判定が真正でないと判定された後に、カードをストック部２Ｂに戻すまでの搬送距離、及び時間を短縮することが可能となる。
【００９５】
上述した制御手段２００，３００は、紙幣の処理動作以外にも、例えば、上位装置３５０からエラー信号を受信した際、カード挿入口４の閉塞処理を実施するように制御することが可能である。このエラー信号発生時に、カード挿入口４を閉塞処理する制御について図２６のフローチャートに従って説明する。
【００９６】
最初、カード処理ユニット１は、前記同様、図１２に示すように、シャッタ部材１２の閉塞部１２ｃが搬送路３から没して、カード挿入口４は、カードが挿入できるように、常時、開口した状態となっている。この状態で、メインＣＰＵユニット３００は、隣接して設置される遊技機やホールコンピュータ（管理サーバ）等の上位装置３５０から、エラー信号が送信されるのを待機している（ステップＳ１１）。このエラー信号は、例えば、対応する遊技機でトラブルが発生し、遊技が出来なくなった状態になったとき、ホールコンピュータ側やＬＡＮ等の接続手段にトラブルが発生して、カード処理ユニット１における遊技媒体の情報の送受信が出来なくなった状態になったとき等が該当する。
【００９７】
エラー信号が検知されると（ステップＳ１１；Ｙｅｓ）、カード処理ユニット１の駆動モータ２１（図６参照）を所定量回転駆動し（ステップＳ１２）、これにより、搬送機構２０を構成する搬送ベルト２５を駆動して、ストック部２Ｂに収納されているカードをカード挿入口側に向けて搬送する。この場合、駆動モータ２１の回転駆動量は、ストック部２Ｂに収納されている最上のカードが、図２５に示すように、突没部１２ｄに係合して、シャッタ部材１２を回動させ、閉塞部１２ｃが、カード挿入口４を閉塞する状態となるように設定される。
【００９８】
次に、メインＣＰＵユニット３００において、エラー信号が解除されたことを受信すると（ステップＳ１３；Ｙｅｓ）、駆動モータ２１を逆転駆動し、図２５に示した状態にあるカードを、ストック部２Ｂに収納させる（ステップＳ１４）。これにより、シャッタ部材１２は、図１２に示す状態に回動し、カード挿入口４は、開放した状態、すなわち、カード挿入可能状態となる。
【００９９】
このように、上位装置３５０がエラー状態となったときも、カード挿入口４は、駆動機構等を必要としないシャッタ部材１２によって閉塞されるため、カード挿入に伴う新たなトラブルの発生を確実に防止することが可能になる。
【０１００】
以上、本発明の実施形態について説明したが、本発明は、ストック部２Ｂに収容されているカードを利用して、カード挿入口４を閉塞するシャッタ機構を駆動するように構成されていれば良い。このため、本発明は、上記した実施形態に限定されることはなく、種々変形することが可能である。例えば、上記した実施形態では、紙幣挿入口１１１に紙幣が挿入されると、ストック部２Ｂのカードをシャッタ部材１２の突没部１２ｄに係合する位置まで搬送したが、リードライト位置まで搬送するようにしても良い。また、カード処理ユニット１には、カード挿入口４を閉塞可能なシャッタ部材１２を備えたシャッタ機構が設けられていれば良く、それ以外の構成については適宜変形することが可能である。
【産業上の利用可能性】
【０１０１】
本発明の遊技媒体処理装置は、上述したような遊技機に隣接して設置されるサンド装置に限られず、カードが挿入されたことで、商品やサービスを提供する各種の装置に組み込むことが可能である。また、本発明の遊技媒体処理装置は、カードを回収したり、発行可能にするストック部を備えた構成となっていたが、単にカードを挿入し、その情報を読取って排出するように構成された装置に適用可能である。
【図面の簡単な説明】
【０１０２】
【図１】遊技媒体処理装置の一例を示す図であり、全体構成を示す斜視図。
【図２】カード処理ユニットの構成を示す図であり、全体構成を示す平面図。
【図３】ストック部を開放した状態を示す図。
【図４】図３に示す状態から基板装着フレームを取り外した状態を示す図であり、カード搬送路の構成を示す図。
【図５】図４に示すカード挿入口部分の拡大図。
【図６】カード処理ユニットを裏側から見た図。
【図７】図６の主要部の拡大図。
【図８】シャッタ機構を構成する揺動部材（第１揺動部材）の構成を示す斜視図。
【図９】カードが挿入口から移動する際の揺動部材の動作を示す図（その１）。
【図１０】カードが挿入口から移動する際の揺動部材の動作を示す図（その２）。
【図１１】カードが挿入口から移動する際の揺動部材の動作を示す図（その３）。
【図１２】カードが挿入口から移動する際の揺動部材の動作を示す図（その４）。
【図１３】ストック部を挿入口側から見た図。
【図１４】ストック部にカードを収納した状態を示す図。
【図１５】（ａ）は、収納駆動機構を構成する揺動部材（第２揺動部材）の構成を示す平面図、（ｂ）は、その側面図。
【図１６】挿入口からカードを搬送する際の第２揺動部材、及びストック部の作用を示す図（その１）。
【図１７】挿入口からカードを搬送する際の第２揺動部材、及びストック部の作用を示す図（その２）。
【図１８】挿入口からカードを搬送する際の第２揺動部材、及びストック部の作用を示す図（その３）。
【図１９】挿入口からカードを搬送する際の第２揺動部材、及びストック部の作用を示す図（その４）。
【図２０】ストック部から挿入口に向けてカードを搬送する際の第２揺動部材、及びストック部の作用を示す図（その１）。
【図２１】ストック部から挿入口に向けてカードを搬送する際の第２揺動部材、及びストック部の作用を示す図（その２）。
【図２２】ストック部から挿入口に向けてカードを搬送する際の第２揺動部材、及びストック部の作用を示す図（その３）。
【図２３】カード処理ユニット１を組み込んだ遊技媒体処理装置全体を制御する制御ブロック図。
【図２４】カード処理ユニットのカード挿入口を閉塞処理する制御例を示したフローチャート。
【図２５】ストック部からカードを搬送してカード挿入口を閉塞した状態を示す図。
【図２６】カード処理ユニットのカード挿入口を閉塞処理する別の制御例を示したフローチャート。
【符号の説明】
【０１０３】
１  カード処理ユニット
２  フレーム
２Ａ  本体フレーム
２Ｂ  ストック部
３  搬送路
４  カード挿入口
１０  シャッタ機構
１２  シャッタ部材
１２ｃ  閉塞部
１２ｄ  突没部
２０  搬送機構
２１  駆動モータ
２５  搬送ベルト
１００  遊技媒体処理装置
１１０  紙幣処理ユニット
ＰＣ  カード
【図１】
2008212196.tif 000003
【図２】
2008212196.tif 000004
【図３】
2008212196.tif 000005
【図４】
2008212196.tif 000006
【図５】
2008212196.tif 000007
【図６】
2008212196.tif 000008
【図７】
2008212196.tif 000009
【図８】
2008212196.tif 000010
【図９】
2008212196.tif 000011
【図１０】
2008212196.tif 000012
【図１１】
2008212196.tif 000013
【図１２】
2008212196.tif 000014
【図１３】
2008212196.tif 000015
【図１４】
2008212196.tif 000016
【図１５】
2008212196.tif 000017
【図１６】
2008212196.tif 000018
【図１７】
2008212196.tif 000019
【図１８】
2008212196.tif 000020
【図１９】
2008212196.tif 000021
【図２０】
2008212196.tif 000022
【図２１】
2008212196.tif 000023
【図２２】
2008212196.tif 000024
【図２３】
2008212196.tif 000025
【図２４】
2008212196.tif 000026
【図２５】
2008212196.tif 000027
【図２６】
2008212196.tif 000028